(57)【要約】【課題】種々の枕に装着して利用することのできる顔覆いフードの提供を目的とする。【解決手段】頭部に被った状態で顔を覆う深さに形成されるフード状の本体部と、  本体部に連結され、利用者の首に装着されて利用者の後頭部を支持するネックピローを掴持して該ネックピローに装着するためのピロー装着部とを備えて構成する。【選択図】  図１
2018193636.tif 000002
【特許請求の範囲】
【請求項１】
頭部に被った状態で顔を覆う深さに形成されるフード状の本体部と、
本体部に連結され、利用者の首に装着されて利用者の後頭部を支持するネックピローを掴持して該ネックピローに装着するためのピロー装着部とを備えた顔覆いフード。
【請求項２】
前記ピロー装着部は閉ループ形状に形成され、棒状、あるいは馬蹄形状に形成されるネックピローを自由端部から挿入してネックピローに装着される請求項１記載の顔覆いフード。
【請求項３】
前記ピロー装着部は、閉ループ状態を解除可能な請求項２記載の顔覆いフード。
【請求項４】
前記本体部は折り畳み自在に形成されるとともに、前記ピロー装着部は折り畳まれた本体部に巻き付けて該本体部の折り畳み状態を保持可能に形成される請求項１、２または３記載の顔覆いフード。
【発明の詳細な説明】
【技術分野】
【０００１】
本発明は顔覆いフードに関するものである。
【背景技術】
【０００２】
寝顔を見られないようにした顔覆いフードとしては、特許文献１に記載のものが知られている。
【０００３】
この従来例において、フードは使用者の顔を覆うベールを備え、枕本体に連結される。
【先行技術文献】
【特許文献】
【０００４】
【特許文献１】特開２００３-３３４１３１号公報
【発明の概要】
【発明が解決しようとする課題】
【０００５】
しかし、上述した従来例において、フードは枕本体のカバーに一体に形成されるために、異なった枕に使用することができないという問題がある。
【０００６】
本発明は、以上の問題を解消すべくなされたものであって、種々の枕に装着して利用することのできる顔覆いフードの提供を目的とする。
【課題を解決するための手段】
【０００７】
本発明によれば上記目的は、
頭部（Ｈ）に被った状態で顔を覆う深さに形成されるフード状の本体部１と、
本体部１に連結され、利用者の首に装着されて利用者の後頭部を支持するネックピロー２を掴持して該ネックピロー２に装着するためのピロー装着部３とを備えた顔覆いフードを提供することにより達成される。
【０００８】
本発明において、顔覆いフードは、頭部（Ｈ）に被った状態で顔を覆う深さに形成されたフード状の本体部１にピロー装着部３を一体的に取り付けて形成されており、ピロー装着部３を利用してネックピロー２に装着される。
【０００９】
顔覆いフードを装着したネックピロー２を首に巻装した後、本体部１を頭に被ると顔が本体部１に覆われることから、顔が隠されて寝顔を見られないですむようになる。
【００１０】
さらに、本発明の顔覆いフードはネックピロー２を掴むようにして該ネックピロー２に装着するためのピロー装着部３を備えており、ネックピロー２への装着後も、ネックピロー２への掴持状態を解除することにより簡単に取り外すことができる。
【００１１】
したがって本発明の顔覆いフードはネックピロー２とは別に保管、持ち運びができるために、嵩張ることがない上に、顔覆いフードの装着手段を持たないネックピロー２に対しても装着して使用することができるために汎用性が向上する。
【００１２】
また、上記目的を達成するための本発明の他の態様として、
前記ピロー装着部３は閉ループ形状に形成され、棒状、あるいは馬蹄形状に形成されるネックピロー２を自由端部から挿入してネックピロー２に装着される顔覆いフードを構成することができる。
【００１３】
ネックピロー２は棒状に形成されたものを両端を紐等で結んで馬蹄形状にして首に装着したり、あるいは予め馬蹄形状に形成されたものを首に装着して使用され、装着前においては両端が開放された形状を有しており、本発明におけるピロー装着部３は、ネックピロー２の両端部から挿入することができるように、閉ループ形状に形成される。
【００１４】
ピロー装着部３を閉ループ形状に形成することにより、バックル等の連結手段を設ける必要がなくなるために、コスト低減を図ることができる。
【００１５】
また、ピロー装着部３はゴム等の伸縮性を有する材料で形成することも可能であるが、ネックピロー２は通常、使用時に空気を吹き込んで膨らませて使用するために適度の弾性を有してことを利用してピロー装着部３を伸縮性のない生地で形成することによりコスト低減を図ることもできる。
【００１６】
この場合、ピロー装着部３のネックピロー２への装着は、ネックピロー２を押し潰しながらピロー装着部３に押し入れ、ピロー装着部３を所定位置まで移動させて行うことができる。
【００１７】
さらに、上記目的を達成するための本発明の他の態様として、
前記ピロー装着部３は、閉ループ状態を解除可能な顔覆いフードを構成することができる。
【００１８】
上述したように、ピロー装着部３はそれ自体閉じたリング形状に形成し、ネックピロー２の端部から該ネックピロー２を挿入して装着するように構成することができるが、本発明のように閉ループを解除可能なようにすると、ピロー装着部３を開ループ状態でネックピロー２に巻き付けた後、適宜手段で閉ループ形状とすることにより簡単にネックピロー２に装着することができるために、ネックピロー２への装着操作性が向上する。
【００１９】
この場合、前記ピロー装着部３は折り畳まれた本体部１に巻き付けて該本体部１の折り畳み状態を保持可能に形成される顔覆いフードを構成することができる。
【図面の簡単な説明】
【００２０】
【図１】本発明の顔覆いフードの使用状態を示す図で、（ａ）は正面図、（ｂ）は背面図である。
【図２】顔覆いフードを示す図で、（ａ）は正面から見た斜視図、（ｂ）はネックピローへの装着方法を示す要部斜視図である。
【図３】ネックピローへの装着状態を示す斜視図である。
【図４】図１の変形例を示す斜視図である。
【図５】本発明の他の実施の形態を示す図で、（ａ）はネックピローへの装着状態を示す斜視図、（ｂ）は折り畳み方法を示す斜視図、（ｃ）はピロー装着部により本体部の折り畳み状態を保持した状態を示す斜視図である。
【図６】図５の変形例を示す図で、（ａ）はネックピローへの装着状態を示す斜視図、（ｂ）はピロー装着部により本体部の折り畳み状態を保持した状態を示す斜視図である。
【図７】図５の他の変形例を示す図で、（ａ）はネックピローへの装着状態を示す斜視図、（ｂ）はピロー装着部により本体部の折り畳み状態を保持した状態を示す斜視図である。
【発明を実施するための形態】
【００２１】
図３に示すように、顔覆いフードは、馬蹄形状をしたネックピロー２に装着して使用される。一般にネックピロー２は、空気を入れて膨らませるエアークッションをクッションカバーにより覆って形成されており、装着時に首筋に対応して頭部を支える首当て部２ａから前方に首側部に対応する張出し部２ｂを延設して馬蹄形状に形成される。
【００２２】
図１に示すように、利用者への装着は、張り出し部２ｂ間の開口から利用者の首筋を押し入れるようにして行われ、首当て部２ａに首筋が、両張り出し部２ｂが両首側部が当接した装着状態において利用者が座席の背もたれに頭部（Ｈ）を預けるようにもたれ掛かると、後頭部が支えられ、頭部（Ｈ）が安定した状態に保持される。
【００２３】
図２に示すように、顔覆いフードは、本体部１にピロー装着部３を一体に連結して形成される。本体部１は、肌触り、折り畳みやすさ等を考慮して柔軟な生地、例えばニット生地によりフード状に形成され、図１に示すように、ネックピロー２を首に装着した状態で頭に被った際に、顔のほぼ全体を覆うような深さ寸法に形成される。
【００２４】
また、本体部１は内部、および外部からの視線を完全に遮るような、例えば厚手で不透明な材料により形成することも可能であるが、前面を内部からはかすかに外部が見えるような材料により形成することもできる。
【００２５】
一方、ピロー装着部３は、本体部１の後部端面に変形自在な２本の帯状の閉ループ体を縫い付けて形成され、ネックピロー２への装着は、図２（ｂ）において矢印で示すように、ネックピロー２の張出し部２ｂ先端を閉ループ体のループ内に挿通させることにより行われる。
【００２６】
ネックピロー２のループ内への導入は、ネックピロー２の持つ弾力性、あるいはクッション性を利用することができるが、閉ループ体をゴム、あるいはゴム入り織物等の伸縮性を有する材料により形成する場合には、より装着性が向上する。
【００２７】
以上においては、ピロー装着部３を２本の閉ループ体により形成する場合を示したが、図４に示すように、幅方向寸法がネックピロー２の首当て部のほぼ全域に対応する幅広の筒形状をなす１本の閉ループ体により形成することもできる。この場合、ニット等の閉ループ体は肌触りの良好な材料により形成するのが望ましい。
【００２８】
また、上述したピロー装着部３は、閉ループを構成していたが、図５に示すように、閉ループを解除可能なように形成することができる。本例においてピロー装着部３は、本体部１から幅広で柔軟なリボン状の帯状体４により構成される。
【００２９】
帯状体４基端と自由端縁には相互に連結可能な連結手段４ａが形成される。図５に示す実施の形態において連結手段４ａには面ファスナが使用されているが、図６（ａ）に示すようなバックル、あるいは図６（ｂ）に示すようなスナップファスナ、さらにはボタン、鈎ホック等、種々のものを使用することができる。
【００３０】
したがって、この実施の形態において、ネックピロー２への装着は、ピロー装着部３の連結手段４ａの連結を解除して閉ループを解除した後、帯状体４をネックピロー２に巻きつけ、さらに連結手段４ａを連結して行われる。また、不使用時には、図５（ｂ）、（ｃ）に示すように、本体部１を折り畳んだ後、帯状体４により本体部１を巻き付けておくと、折り畳み状態を確実に保持することができる。
【００３１】
上記ピロー装着部３は図６に示すように２本の帯状体４により形成することも可能であり、この場合も図６（ｂ）に示すように、ピロー装着部３により折り畳み状態を保持させておくことができる。
【００３２】
さらに、ピロー装着部３は図７に示すように、紐５により形成することができ、この場合も図７（ｂ）に示すように、紐５を結んで本体部１の折り畳み状態を保持させておくことができる。
【００３３】
なお、以上においては、ネックピロー２は予め馬蹄形状をしたものを例示したが、空気を吹き込むことにより直杆棒状となり、その自由端同士を紐で結ぶことにより全体を馬蹄形状にするネックピロー２にも使用することは当然である。
【００３４】
また、以上においてネックピロー２は空気枕として説明したが、予めマイクロビーズを封入したものであっても良い。
【符号の説明】
【００３５】
１        本体部
２        ネックピロー
３        ピロー装着部
Ｈ        頭部
【図１】
2018193636.tif 000003
【図２】
2018193636.tif 000004
【図３】
2018193636.tif 000005
【図４】
2018193636.tif 000006
【図５】
2018193636.tif 000007
【図６】
2018193636.tif 000008
【図７】
2018193636.tif 000009